(57)【要約】      （修正有）【課題】オリジナル原稿の変更内容およびメモが反映された複写物を提供する。【解決手段】複写原稿を読み取って画像データＧＤを生成するスキャナ２０ｇ、画像データから複写原稿ごとに設けられた識別情報ＣＪを検出する識別情報検出部４２、オリジナル原稿のページ情報ＰＪを作成または変更する作成変更部４１、ページ情報および作成変更部によって変更されたページ情報に係る画像データを識別情報に関連付けて記憶するハードディスク２０ｄ、識別情報検出部によって検出された識別情報がハードディスクに記憶されているか否かを判別する判別部４３、識別情報がハードディスクに記憶されている場合で作成変更部によりページ情報が変更された場合に、変更後のページ情報に係る画像データおよびスキャナによって生成された画像データの一方または両方を用いて形成データＫＤを生成する画像形成部４４、形成データに基づく画像を印刷する印刷装置２０ｈを設ける。【選択図】図４
2009232005.tif 000002
【特許請求の範囲】
【請求項１】
原稿を読み取って生成した画像データに基づく画像を用紙に印刷する画像形成システムであって、
前記原稿を読み取って画像データを生成する読み取り手段と、
前記画像データから、前記原稿ごとに設けられた識別情報を検出する識別情報検出手段と、
前記原稿の頁に関する頁情報を作成または変更する作成変更手段と、
前記頁情報および前記作成変更手段によって変更された前記頁情報に係る画像データを、前記識別情報に関連付けて記憶する記憶手段と、
前記識別情報検出手段によって検出された前記識別情報が前記記憶手段に記憶されているか否かを判別する判別手段と、
前記識別情報が前記記憶手段に記憶されていると前記判別手段によって判別された場合で、前記作成変更手段により前記頁情報が変更された場合に、前記変更後の頁情報に係る前記画像データおよび前記読み取り手段によって生成された前記画像データの一方または両方を用いて形成データを生成する画像生成手段と、
前記画像生成手段によって生成された前記形成データに基づく画像を用紙に印刷する印刷手段と、
を有することを特徴とする画像形成システム。
【請求項２】
前記読み取り手段によって生成された前記画像データには、ユーザが追記したメモに基づく画像データが含まれる、
請求項１記載の画像形成システム。
【請求項３】
前記判別手段は、前記識別情報が前記記憶手段に記憶されていないと判別した場合に、前記印刷手段による印刷を禁止する、
請求項１または２記載の画像形成システム。
【請求項４】
前記識別情報を生成する識別情報生成手段と、
前記識別情報生成手段によって生成された前記識別情報を、前記原稿を作成するために前記用紙に予め埋め込む埋め込み手段と、を有する、
請求項１ないし３のいずれかに記載の画像形成システム。
【請求項５】
前記識別情報生成手段は、前記頁情報が前記記憶手段に記憶される際に、前記識別情報を生成する、
請求項４記載の画像形成システム。
【請求項６】
前記記憶手段は、前記原稿の頁に追加頁が加えられた場合に、当該原稿の追加頁に係る画像データを記憶し、
前記作成変更手段は、前記記憶手段に記憶された前記頁情報を、前記原稿の頁に新たに追加頁が加えられることを示す頁情報に変更する処理を行い、
前記画像生成手段は、前記頁情報に係る前記追加頁ついては前記記憶手段に記憶された画像データを用い、他の前記頁については前記読み取り手段によって生成された前記画像データを用いて前記形成データを生成する、
請求項１ないし５のいずれかに記載の画像形成システム。
【請求項７】
前記作成変更手段は、前記記憶手段に記憶された前記頁情報を、前記原稿の一部の頁が削除されることを示す頁情報に変更する処理を行う、
請求項１ないし６のいずれかに記載の画像形成システム。
【請求項８】
前記作成変更手段は、前記記憶手段に記憶された前記頁情報を、前記原稿の一部の頁の内容が所定角度回転されてなる回転頁が生じることを示す頁情報に変更する処理を行い、
前記画像生成手段は、前記頁情報に係る前記回転頁については前記記憶手段に記憶された前記画像データを用い、他の前記頁については前記読み取り手段によって生成された前記画像データを用いて前記形成データを生成する、
請求項１ないし７のいずれかに記載の画像形成システム。
【請求項９】
前記作成変更手段は、前記記憶手段に記憶された前記頁情報を、前記原稿の一部の頁が所定の各頁の間に移動されてなる移動頁が生じることを示す頁情報に変更する処理を行い、
前記画像生成手段は、前記頁情報に係る前記移動頁については前記記憶手段に記憶された前記画像データを用い、他の前記頁については前記読み取り手段によって生成された前記画像データを用いて前記形成データを生成する、
請求項１ないし８のいずれかに記載の画像形成システム。
【発明の詳細な説明】
【技術分野】
【０００１】
本発明は、ＭＦＰ等の画像形成装置を用いた画像形成システムに関する。
【背景技術】
【０００２】
従来より、画像形成を行う画像形成装置、例えば、複写機、プリンタ、ファクシミリのほか、複合機またはＭＦＰ（Multi Function Peripherals）と呼称される多機能機等が会社等のオフィス内で使用されている。
【０００３】
画像形成装置の性能の向上と並行して付加機能の開発が絶え間なく続けられており、既に様々な付加機能が提案されている。例えば、オリジナル原稿の複写時に、複写画像の中に識別コードを符号化した画像を埋め込んでおく。そして、オリジナル原稿の複写によって得られた複写物（子コピー）を複写の原稿としたとき、識別コードが検出されることによって、オリジナル原稿のオリジナル画像情報に基づいて画像形成が行われる。これにより、原稿が複写原稿であっても、オリジナル原稿による複写時と同一の画質の複写物を得ることができる（特許文献１）。
【０００４】
また、次のような機能がある。原稿に付加されたコード情報を解読し、解読したコード情報に基づき、予め保存手段に保存された原稿のオリジナルデータを抽出する。抽出したオリジナルデータと画像読み取り手段によって読み取られた原稿の画像データとを比較してその差分をとり、原稿のオリジナル原稿部とそれ以外の追記部とを判別する。そして、原稿のオリジナル原稿部および追記部のいずれか一方または両方を選択して出力する（特許文献２）。
【０００５】
さらに、次のような機能がある。従来では、画像形成装置を用いて原稿のコピー（以下「子コピー」と呼ぶことがある）を行った後、原稿の構成に変更が生じた場合、例えば、当初の原稿が５頁の構成で、第４頁と第５頁との間に新たに頁が追加された場合、このような変更が生じた旨の連絡をユーザ（例えば、会議の参加者）間で行って当該変更の発生を認識していた。
【０００６】
しかし、原稿の子コピーによる複写物をコピー（以下「孫コピー」と呼ぶことがある）するユーザ、例えば、会議に参加しておらず原稿の構成に変更が生じた旨を知らないユーザは、当該旨を認識することが困難である場合が多い。また、ユーザが上記の旨を認識できたとしても、例えば追加頁がある場合には、当該追加頁を入手しなければならない。このような人為的な方法は非常に手間がかかってしまう。
【０００７】
そこで、オリジナル原稿の画像データを予め記憶装置に記憶しておき、記憶装置から読み出して印刷する際に、画像データに記憶装置内の格納先及びデータ属性を示した画像情報を埋め込んだ複製原稿を作成する。
【０００８】
この複製原稿を孫コピーする際に、画像読み取り手段による原稿の読み取りにおいて、画像データに画像情報があるか否かを判別する。画像情報があると判別された場合には、埋め込まれた画像情報から記憶装置内のオリジナル原稿の格納先を認識して、複製原稿のデータ属性とオリジナル原稿のデータ属性とを比較し、オリジナル原稿が更新されている場合には、オリジナル原稿を記憶装置から読み出して印刷する（特許文献３）。
【０００９】
これにより、オリジナル原稿の構成に変更が生じた場合でも、当該変更後の内容を有した複写物を容易に得ることができる。
【特許文献１】特開平６−１８９０９０号公報
【特許文献２】特開２００４−８０６０１号公報
【特許文献３】特開２００４−３３６２８８号公報
【発明の開示】
【発明が解決しようとする課題】
【００１０】
例えば、会議の参加者等は、会議中の重要事項等を複写物にメモとして追記する場合が多々ある。
【００１１】
しかし、特許文献１〜３に記載される従来の方法では、原稿の構成に変更が生じた場合に、以下の課題がある。すなわち、孫コピーの際に、サーバに保存された変更後の電子データに基づいて印刷処理が行われるので、当該孫コピーによって得られる複写物に、参加者が追記したメモが反映されなくなる。そのため、参加者は、孫コピーによる複写物に重要なメモを再度追記しなければならない。これは非常に手間である。
【００１２】
本発明は、このような問題点に鑑み、オリジナル原稿の変更内容およびメモが反映された複写物（２次複写物）を得ることが可能となるようにすることを目的とする。
【課題を解決するための手段】
【００１３】
本発明の一形態に係る画像形成システムは、原稿を読み取って生成した画像データに基づく画像を用紙に印刷する画像形成システムであって、前記原稿を読み取って画像データを生成する読み取り手段と、前記画像データから、前記原稿ごとに設けられた識別情報を検出する識別情報検出手段と、前記原稿の頁に関する頁情報を作成または変更する作成変更手段と、前記頁情報および前記作成変更手段によって変更された前記頁情報に係る画像データを、前記識別情報に関連付けて記憶する記憶手段と、前記識別情報検出手段によって検出された前記識別情報が前記記憶手段に記憶されているか否かを判別する判別手段と、前記識別情報が前記記憶手段に記憶されていると前記判別手段によって判別された場合で、前記作成変更手段により前記頁情報が変更された場合に、前記変更後の頁情報に係る前記画像データおよび前記読み取り手段によって生成された前記画像データの一方または両方を用いて形成データを生成する画像生成手段と、前記画像生成手段によって生成された前記形成データに基づく画像を用紙に印刷する印刷手段と、を有する。
【００１４】
好ましくは、前記読み取り手段によって生成された前記画像データには、ユーザが追記したメモに基づく画像データが含まれる。
【００１５】
または、前記判別手段は、前記識別情報が前記記憶手段に記憶されていないと判別した場合に、前記印刷手段による印刷を禁止する。
【発明の効果】
【００１６】
本発明によると、原稿の複写の際に、当該原稿の内容に変更が生じている場合でも、当該原稿の変更内容およびメモが反映された複写物（２次複写物）を得ることが可能となる。
【発明を実施するための最良の形態】
【００１７】
図１は画像形成システム１の全体的な構成の例を示す図、図２は画像形成装置２のハードウェア構成の例を示す図、図３は画像形成システム１における複写の流れの例を示す図、図４は画像形成装置２の機能的構成の例を示す図である。
【００１８】
画像形成システム１は、図１に示すように、複数の画像形成装置２（２Ａ、２Ｂ、２Ｃ、…）、および通信回線ＴＣ等によって構成される。通信回線ＴＣとして、ＬＡＮ、インターネット、公衆回線、または専用線等が用いられる。このような画像形成システム１においては、各画像形成装置２がそれぞれ通信回線ＴＣを介して接続されている。
【００１９】
画像形成装置２は、コピー、スキャナ、ファックス、ネットワークプリンティング、およびドキュメントサーバ等の様々な機能を集約した処理装置である。画像形成装置２は複合機またはＭＦＰ（Multi Function Peripherals）等と呼ばれることもある。
【００２０】
「ドキュメントサーバ」とは、ユーザごとに「個人ボックス」または「ボックス」等と呼ばれる、パーソナルコンピュータにおけるフォルダまたはディレクトリ等に相当する記憶領域を設け、管理する機能である。「ボックス機能」と呼ばれることもある。ユーザは、自分の個人ボックスに画像データ等をファイル単位で保存しておくことができる。
【００２１】
画像形成装置２は、公共団体（政府、地方自治体）または企業等のオフィス、学校または図書館等の公共施設、その他種々の場所に設置され、複数のユーザによって共用することができる。
【００２２】
画像形成装置２は、図３に示すように、ＣＰＵ２０ａ、ＲＡＭ２０ｂ、ＲＯＭ２０ｃ、ハードディスク２０ｄ、制御用回路２０ｅ、操作パネル２０ｆ、スキャナ２０ｇ、印刷装置（エンジン）２０ｈ、ＬＡＮインタフェース２０ｊ、およびＦＡＸモデム２０ｋ等によって構成される。
【００２３】
制御用回路２０ｅは、ハードディスク２０ｄ、操作パネル２０ｆ、スキャナ２０ｇ、印刷装置２０ｈ、ＬＡＮインタフェース２０ｊ、およびＦＡＸモデム２０ｋ等を制御するための回路である。
【００２４】
スキャナ２０ｇは、原稿に描かれている文章、数式、記号、写真、図表、またはイラスト等のコンテンツの画像を光学的に読み取って画像データを生成する装置である。
【００２５】
印刷装置２０ｈは、スキャナ２０ｇによって得られた画像データに基づく画像を用紙に印刷する。
【００２６】
ＬＡＮインタフェース２０ｊは、他の画像形成装置２等と通信を行うためのＮＩＣ（Network Interface Card）であって、画像形成装置２とハブまたはルータとを接続するために用いられる。
【００２７】
ＦＡＸモデム２０ｋは、他の画像形成装置２またはＦＡＸ端末とファックスプロトコルによる通信を行う装置である。
【００２８】
操作パネル２０ｆは、タッチパネル式の液晶ディスプレイから構成される表示部およびテンキー等から構成される操作部によって構成される。表示部には、ユーザに対してメッセージまたは指示を与えるための画面、ユーザが所望する処理の種類および処理条件を入力するための画面、およびＣＰＵ２０ａ等で実行された処理の結果を示す画面等が表示される。
【００２９】
ユーザは、上記の画面を見ながら表示部または操作部を操作することによって、画像形成装置２に対して、処理の実行開始または中断等の指令を与え、データの宛先、印刷条件、またはスキャン条件等の処理条件を指定し、その他種々の事項を指定することができる。つまり、操作パネル２０ｆは、画像形成装置２を操作するユーザのためのユーザインタフェースの役割を果たしている。なお、操作パネル２０ｆの詳細な構成については後述する。
【００３０】
続いて、本実施形態に係る画像形成システム１における複写の流れについて図面を参照しながら説明する。
【００３１】
図３に示すように、例えば、３頁構成のオリジナル原稿（原本）ＯＧを画像形成装置２によって１次コピー（以下、「子コピー」と呼ぶ）すると、オリジナル原稿ＯＧの複写物（以下、「１次複写物」と呼ぶ）ＨＳ１を得ることができる。１次複写物ＨＳ１は、例えば会議等の参加者に配布される。参加者は、会議における重要事項または覚え書き等をメモＭＭとして１次複写物ＨＳ１に記載することがよくある。
【００３２】
一方、会議に参加することができなかった非参加者にも、上記の１次複写物ＨＳ１を配布したい場合には、この１次複写物ＨＳ１を複写原稿ＨＧとして２次コピー（以下、「孫コピー」と呼ぶ）する。
【００３３】
ここで、１次複写物ＨＳ１を配布した後、オリジナル原稿ＯＧの構成に変更が生じたとする。例えば、オリジナル原稿ＯＧの第２頁と第３頁との間に、頁（以下、「追加頁」と呼ぶ）ＴＰを新たに加える変更が生じたとする。
【００３４】
本実施形態において、画像形成装置２によって、この１次複写物ＨＳ１を複写原稿ＨＧとして２次コピー（以下、「孫コピー」と呼ぶ）を行うと、第２頁と第３頁との間に追加頁ＴＰが加えられ、かつ、参加者が記載したメモＭＭが複写された複写物（以下、「２次複写物」と呼ぶ）ＨＳ２を得ることが可能となる。
【００３５】
すなわち、１次複写物ＨＳ１を配布した後、オリジナル原稿ＯＧの構成に変更が生じた場合でも、変更後のオリジナル原稿ＯＧの画像データに基づく画像をそのまま用紙に印刷することはなく、当該変更に係る頁（本例では、追加頁ＴＰ）の画像データと、１次複写物ＨＳ１の画像データとを組み合わせた画像データ（以下、「形成データ」と呼ぶ）を生成し、当該形成データに基づく画像を用紙に印刷する。
【００３６】
これにより、オリジナル原稿ＯＧの変更内容およびメモＭＭが共に反映された２次複写物ＨＳ２を得ることができる。
【００３７】
ここで、複写原稿ＨＧを孫コピーする際において、オリジナル原稿ＯＧの構成に変更が生じているか否かについての判断は次の通りである。
【００３８】
すなわち、オリジナル原稿ＯＧの子コピーの際に、１次複写物ＨＳ１に識別情報ＣＪを付加しておく。識別情報ＣＪは、例えばリセット可能な通し番号であり、バーコード、ＱＲコードまたは地紋パターン等によって再現される。
【００３９】
また、オリジナル原稿ＯＧに変更が生じたこと、および変更が生じていないことを示すページ情報を、識別情報ＣＪに関連付けさせてハードディスク２０ｄに予め記憶させておく。
【００４０】
そして、１次複写物ＨＳ１の読み取り時に検出された識別情報ＣＪと、ハードディスク２０ｄに記憶された識別情報ＣＪのいずれかとが一致する場合に、当該ハードディスク２０ｄの識別情報ＣＪに対応するページ情報に基づいて上記変更の有無を判別する。
【００４１】
これにより、１次複写物ＨＳ１に設けられた識別情報ＣＪによって、オリジナル原稿ＯＧの変更の有無を判別することが可能となる。
【００４２】
以下、上記のような作用効果を得るための詳細な構成について図面を参照しながら説明する。
【００４３】
図４に示すように、画像形成装置２は、作成変更部４１、識別情報検出部４２、判別部４３、画像形成部４４、識別情報生成部４５、および埋め込み部４６等によって構成される。これらの各構成部は、上で述べたＣＰＵ２０ａ、ＲＡＭ２０ｂ、ＲＯＭ２０ｃ、その他の回路素子等によって構成される。ＲＡＭ２０ｂやＲＯＭ２０ｃには、これら各構成部の種々の機能を実現するためのコンピュータプログラムが組み込まれている。
【００４４】
作成変更部４１は、ユーザによる操作パネル２０ｆの操作に基づいて、識別情報ＣＪに関連付けされた、後で詳述するページ情報ＰＪを作成または変更する。ハードディスク２０ｄは、作成変更部４１によって作成または変更されたページ情報ＰＪを記憶する。
【００４５】
識別情報検出部４２は、スキャナ２０ｇによって生成された複写原稿ＨＧの画像データＧＤから識別情報ＣＪを、孫コピーの際に検出する。
【００４６】
判別部４３は、識別情報検出部４２によって検出された識別情報ＣＪと同じ識別情報が、ハードディスク２０ｄに記憶（登録）されているか否かを判別する。なお、識別情報ＣＪに関連付けされた識別情報をハードディスク２０ｄに記憶させておいてもよい。
【００４７】
ここで、オリジナル原稿ＯＧの複写の際、すなわち、子コピーの際に、埋め込み部４６は、スキャナ２０ｇによって生成された画像データＧＤに、識別情報生成部４５によって生成された識別情報ＣＪを埋め込む（付加する）。なお、識別情報生成部４５は、作成変更部４１によって作成されたページ情報ＰＪがハードディスク２０ｄに記憶されるときに識別情報ＣＪを生成する。
【００４８】
ハードディスク２０ｄは、識別情報ＣＪが付加された画像データＧＤを記憶する。これにより、子コピーによって得た１次複写物ＨＳ１を複写原稿ＨＧとして孫コピーする際に、識別情報検出部４２によって検出された識別情報ＣＪと同じ識別情報がハードディスク２０ｄに記憶されているか否かを判別することができる。
【００４９】
画像形成部４４は、識別情報ＣＪと同じ識別情報がハードディスク２０ｄに記憶されていると判別部４３によって判別された場合に、形成データＫＤを生成する。形成データＫＤの生成方法は、以下の通りである。
【００５０】
オリジナル原稿ＯＧにおいて一部の頁を削除する変更が生じた場合には、複写原稿ＨＧの画像データＧＤの一部を削除して孫コピーを行う。すなわち、スキャナ２０ｇによって生成された複写原稿ＨＧの画像データＧＤから上記一部の頁に対応する部分が削除されて印刷が行われる。つまり、この場合、スキャナ２０ｇによって生成された複写原稿ＨＧの画像データＧＤが形成データＫＤとして用いられる。
【００５１】
また、オリジナル原稿ＯＧに頁を追加する変更が生じた場合には、スキャナ２０ｇによって生成された複写原稿ＨＧの画像データＧＤに、追加すべき頁の画像データが付加された形成データＫＤに基づく画像が用紙に印刷される。つまり、この場合、スキャナ２０ｇによって生成された複写原稿ＨＧの画像データＧＤおよび追加すべき頁の画像データが用いられて形成データＫＤが生成される。なお、ユーザは、追加すべき頁の画像データをハードディスク２０ｄに予め保存させておく。
【００５２】
また、オリジナル原稿ＯＧの一部の頁を、所定の頁と頁との間に移動させる変更が生じた場合には、スキャナ２０ｇによって生成された複写原稿ＨＧの画像データＧＤに、移動すべき頁の画像データが付加された形成データＫＤに基づく画像が用紙に印刷される。つまり、この場合、スキャナ２０ｇによって生成された複写原稿ＨＧの画像データＧＤおよび移動すべき頁の画像データが用いられて形成データＫＤが生成される。なお、ユーザは、移動すべき頁の画像データをハードディスク２０ｄに予め保存させておく。
【００５３】
さらに、オリジナル原稿ＯＧの一部の頁（頁の画像）を所定角度回転させる変更が生じた場合には、スキャナ２０ｇによって生成された複写原稿ＨＧの画像データＧＤに、回転すべき頁の画像データが付加された形成データＫＤに基づく画像が用紙に印刷される。つまり、この場合、スキャナ２０ｇによって生成された複写原稿ＨＧの画像データＧＤおよび回転すべき頁の画像データが用いられて形成データＫＤが生成される。なお、ユーザは、回転すべき頁の画像データをハードディスク２０ｄに予め保存させておく。
【００５４】
印刷装置２０ｈは、上記画像データＧＤまたは画像形成部４４によって生成された形成データＫＤに基づく画像を用紙に印刷する。
【００５５】
図５はページ情報ＰＪの例を示す図、図６は操作パネル２０ｆの構成の例を示す図、図７は操作パネル２０ｆの表示部２２の表示例を示す図である。
【００５６】
図５に示すように、ページ情報ＰＪは、ジョブＪＢ（ＪＢ１、ＪＢ２、ＪＢ３、…）ごとに関連付けされた、識別情報ＣＪ、削除情報ＳＪ、追加情報ＴＪ、移動情報ＩＪおよび回転情報ＫＪによって構成される。
【００５７】
識別情報ＣＪは、上で述べたように、オリジナル原稿ＯＧの子コピーの際に１次複写物ＨＳ１に付加されるものであり、識別番号であるジョブＩＤおよびその１次複写物ＨＳ１（複写原稿ＨＧ）を構成するページ範囲の情報を含む。
【００５８】
また、削除情報ＳＪ、追加情報ＴＪ、移動情報ＩＪおよび回転情報ＫＪは、オリジナル原稿ＯＧの構成に変更が生じたときに作成変更部４１によって作成されて更新される。
【００５９】
削除情報ＳＪは、複写原稿ＨＧの一部の頁を削除する処理（以下、「削除処理」と呼ぶ）が必要であるか否かを表す「削除の有無（Ｔ：必要有り、Ｆ：必要無し、以下同じ）」と、削除する必要がある「ページ番号」とを示す。例えば、ジョブＪＢ１についての削除情報ＳＪは、複写原稿ＨＧの第２頁および第５頁を削除頁として削除することを示している。
【００６０】
追加情報ＴＪは、複写原稿ＨＧの構成に追加頁を新たに加える処理（以下、「追加処理」と呼ぶ）が必要であるか否かを表す「追加の有無」と、追加頁の「ページ番号」と、複写原稿ＨＧにおいて追加頁を加える位置を表す「リンク情報」とを示す。なお、追加すべき上記ページ番号に係る追加頁の画像データは、ハードディスク２０ｄに予め保存されている。例えば、ジョブＪＢ２についての追加情報ＴＪは、ページ番号が２１である追加頁を、複写原稿ＨＧの第８頁と第９頁の間に加えることを示している。
【００６１】
移動情報ＩＪは、複写原稿ＨＧの所定の頁を移動させる処理（以下、「移動処理」と呼ぶ）が必要であるか否かを表す「移動の有無」と、移動頁の「ページ番号」と、当該移動頁を移動させる位置を表す「リンク情報」とを示す。例えば、ジョブＪＢ３についての移動情報ＩＪは、移動頁である第５頁を、第８頁と第９頁の間に移動させることを示している。
【００６２】
回転情報ＫＪは、複写原稿ＨＧの所定の頁を回転させる処理（以下、「回転処理」と呼ぶ）が必要であるか否かを表す「回転の有無」と、回転頁の「ページ番号」と、当該回転頁の回転角度を表す「回転角情報」とを示す。例えば、ジョブＪＢ４についての回転情報ＫＪは、回転頁である第２１頁の内容を、９０度回転させることを示している。以下、同様に各情報が設定されている。
【００６３】
操作パネル２０ｆは、図６に示すように、複写処理等を設定および実行させるための一般的な操作部２１ならびに上で述べたページ情報ＰＪを設定および確認等するためのタッチパネル式の表示部２２等によって構成されている。
【００６４】
表示部２２には、図７（Ａ）〜（Ｄ）に示すように、削除ボタン２３、追加ボタン２４、移動ボタン２５、および回転ボタン２６が設けられている。
【００６５】
削除情報ＳＪを設定する場合には、ユーザは削除ボタン２３を押す。すると、図７（Ａ）に示すように、削除ページ指定領域２３ａおよび確定ボタン２３ｂが表示部２２に現れる。ユーザは、削除ページ指定領域２３ａで削除頁を指定し、確定ボタン２３ｂを押すことで当該指定を確定することができる。
【００６６】
追加情報ＴＪを設定する場合には、ユーザは追加ボタン２４を押す。すると、図７（Ｂ）に示すように、追加ページ指定領域２４ａ、追加頁を加える位置を指定するための追加位置指定領域２４ｂ、および確定ボタン２４ｃが表示部２２に現れる。ユーザは、追加ページ指定領域２４ａで追加頁を指定し、追加位置指定領域２４ｂで当該追加頁を加える位置を指定し、確定ボタン２４ｃを押すことでこれらの指定を確定することができる。
【００６７】
移動情報ＩＪを設定する場合には、ユーザは移動ボタン２５を押す。すると、図７（Ｃ）に示すように、移動ページ指定領域２５ａ、移動頁を移動させる位置を指定するための移動位置指定領域２５ｂ、および確定ボタン２５ｃが表示部２２に現れる。ユーザは、移動ページ指定領域２５ａで移動頁を指定し、移動位置指定領域２５ｂで当該移動頁を移動させる位置を指定し、確定ボタン２５ｃを押すことでこれらの指定を確定することができる。
【００６８】
回転情報ＫＪを設定する場合には、ユーザは回転ボタン２６を押す。すると、図７（Ｄ）に示すように、回転ページ指定領域２６ａ、回転角度指定領域２６ｂ、および確定ボタン２６ｃが表示部２２に現れる。ユーザは、回転ページ指定領域２６ａで回転頁を指定し、回転角度指定領域２６ｂで当該回転頁の回転角度を指定し、確定ボタン２６ｃを押すことでこれらの指定を確定することができる。
【００６９】
図８および図９は複写原稿ＨＧの複写処理の流れの例を説明するフローチャートである。
【００７０】
図８に示すように、まず、複写原稿ＨＧが読み取られて画像データＧＤが生成されるとともに、識別情報ＣＪの検出が行われる（＃１）。
【００７１】
識別情報ＣＪが検出された場合で（＃２でＹｅｓ）、検出された当該識別情報ＣＪと同じ識別情報がハードディスク２０ｄに記憶されている場合（＃３でＹｅｓ）、この識別情報ＣＪに対応したページ情報ＰＪが取得される（＃４）。
【００７２】
そして、取得されたページ情報ＰＪにおける削除情報ＳＪ、追加情報ＴＪ、移動情報ＩＪ、および回転情報ＫＪから、削除処理、追加処理、移動処理および回転処理のうちいずれかが必要であるか否かが判別され、これらのいずれかの処理が必要である場合（＃５でＹｅｓ）、必要な処理が行われる。
【００７３】
すなわち、削除処理が必要な場合（＃６でＹｅｓ）、削除処理が行われる（＃７）。追加処理が必要な場合（＃８でＹｅｓ）、追加処理が行われる（＃９）。また、移動処理が必要な場合（図９の＃１０でＹｅｓ）、移動処理が行われる（＃１１）。さらに、回転処理が必要な場合（＃１２でＹｅｓ）、回転処理が行われる（＃１３）。
【００７４】
これらのいずれかの処理が実施された後、処理後の画像データＧＤまたは形成データＫＤに基づく画像が用紙に印刷される（＃１４）。
【００７５】
一方、上記のいずれの処理も必要でない場合（＃５でＮｏ）、読み取った複写原稿ＨＧの画像データＧＤに基づく画像がそのまま用紙に印刷される（＃１５）。
【００７６】
これらに対して、識別情報ＣＪが検出されない場合（＃２でＮｏ）、新たな識別情報ＣＪが画像データＧＤに付加される（＃１６）。なお、上記の新たな識別情報ＣＪとは、ハードディスク２０ｄに保存された既存の識別情報ＣＪとは異なる識別情報ＣＪである。
【００７７】
そして、上記の新たな識別情報ＣＪをハードディスク２０ｄに保存することが指定された場合（＃１７でＹｅｓ）、当該識別情報ＣＪがハードディスク２０ｄに保存される（＃１８）。なお、識別情報ＣＪを保存しない場合（＃１７でＮｏ）、以後、本処理で得られる２次複写物ＨＳ２を、画像形成システム１の中では複製できないこととなる。
【００７８】
その後、読み取って生成された画像データＧＤに基づく画像がそのまま用紙に印刷される（＃１９）。
【００７９】
一方、検出された当該識別情報ＣＪと同じ識別情報がハードディスク２０ｄに記憶されていない場合（＃３でＮｏ）、複写原稿ＨＧの印刷が禁止される（＃２０）。
【００８０】
図１０はページ情報ＰＪの設定処理の流れの例を説明するフローチャートである。この設定処理は、オリジナル原稿ＯＧの構成に変更が生じた場合で、複写原稿ＨＧの複写が行われる前に、オリジナル原稿ＯＧの所有者等のユーザによって実施される。
【００８１】
図１０に示すように、ユーザが削除ボタン２３等を押すと（＃３１でＹｅｓ）、削除情報ＳＪが設定され（＃３２）、削除処理が行われる（＃３３）。
【００８２】
ユーザが追加ボタン２４等を押すと（＃３４でＹｅｓ）、スキャナ２０ｇによる追加頁の原稿の読み取りによって、当該追加頁に係る画像データが取得される（＃３５）。そして、当該画像データに識別情報ＣＪが付加され（＃３６）、追加情報ＴＪが設定される（＃３７）。その後、追加処理が行われ（＃３８）、上記追加頁に係る画像データおよび追加情報ＴＪがハードディスク２０ｄに保存される（＃３９）。
【００８３】
ユーザが移動ボタン２５等を押すと（＃４０でＹｅｓ）、移動情報ＩＪが設定され（＃４１）、移動処理が行われた後（＃４２）、移動頁に係る画像データおよび移動情報ＩＪがハードディスク２０ｄに保存される（＃４３）。
【００８４】
ユーザが回転ボタン２６等を押すと（＃４４でＹｅｓ）、回転情報ＫＪが設定され（＃４５）、回転処理が行われた後（＃４６）、回転頁に係る画像データおよび回転情報ＫＪがハードディスク２０ｄに保存される（＃４７）。
【００８５】
（本実施形態における効果）
このように、本実施形態では、オリジナル原稿ＯＧの構成に変更が生じた場合でも、従来のように、変更後のオリジナル原稿ＯＧの画像データを取得し、当該画像データに基づく画像を用紙に印刷することはない。
【００８６】
すなわち、本実施形態では、メモＭＭが記載された１次複写物ＨＳ１を複写原稿ＨＧとして複写する際に、オリジナル原稿ＯＧの構成に変更が生じている場合でも、オリジナル原稿ＯＧの変更の内容と１次複写物ＨＳ１に記載されたメモＭＭとを共に反映した２次複写物ＨＳ２を得ることが可能となる。
【００８７】
したがって、ユーザは、２次複写物ＨＳ２においてオリジナル原稿ＯＧの上記変更内容および会議等の重要事項等であるメモＭＭを共に認識することができる。
【００８８】
（他の実施形態）
上記実施形態では、１つの画像形成装置２において一連の処理を実行する場合を説明したが、このような形態に限定されるものではなく、例えば画像形成システム１における他の画像形成装置２に、ページ情報ＰＪや追加情報ＴＪの追加頁に係る画像データ等を記憶させておき、当該画像形成装置２が他の画像形成装置２にアクセスして上記のページ情報ＰＪや画像データ等を取得してもよい。
【００８９】
また、上記実施形態においては、ページ情報ＰＪとして、削除情報ＳＪ、追加情報ＴＪ、移動情報ＩＪおよび回転情報ＫＪを例に挙げ、これらの情報に基づいて複写原稿ＨＧにおける所定の頁の全体に対して処理を実施したが、当該所定の頁の一部に対して処理を実施してもよい。例えば、削除情報ＳＪに基づいて処理を実施する場合に、所定の頁の一部の領域における画像のみを削除することができる。
【００９０】
その他、画像形成装置２の全体または各部の構成、処理内容、処理順序等は、本発明の趣旨に沿って適宜変更することが可能であり、この場合にも上記の特有かつ格別の効果が奏される。
【図面の簡単な説明】
【００９１】
【図１】画像形成システムの全体的な構成の例を示す図である。
【図２】画像形成装置のハードウェア構成の例を示す図である。
【図３】画像形成システムにおける複写の流れの例を示す図である。
【図４】画像形成装置の機能的構成の例を示す図である。
【図５】ページ情報の例を示す図である。
【図６】操作パネルの構成の例を示す図である。
【図７】操作パネルの表示部の表示例を示す図である。
【図８】複写原稿の複写処理の流れの例を説明するフローチャートである。
【図９】複写原稿の複写処理の流れの例を説明するフローチャートである。
【図１０】ページ情報の設定処理の流れの例を説明するフローチャートである。
【符号の説明】
【００９２】
１  画像形成システム
２  画像形成装置（画像形成システム）
２０ｄ  ハードディスク（記憶手段）
２０ｇ  スキャナ（読み取り手段）
２０ｈ  印刷装置（印刷手段）
４１  作成変更部（作成変更手段）
４２  識別情報検出部（識別情報検出手段）
４３  判別部（判別手段）
４４  画像形成部（画像生成手段）
４５  識別情報生成部（識別情報生成手段）
４６  埋め込み部（埋め込み手段）
ＣＪ  識別情報
ＧＤ  画像データ
ＨＧ  複写原稿（原稿）
ＩＪ  移動情報
ＫＪ  回転情報
ＭＭ  メモ
ＯＧ  オリジナル原稿（原稿）
ＰＪ  ページ情報（頁情報）
ＳＪ  削除情報
ＴＪ  追加情報
【図１】
2009232005.tif 000003
【図２】
2009232005.tif 000004
【図３】
2009232005.tif 000005
【図４】
2009232005.tif 000006
【図５】
2009232005.tif 000007
【図６】
2009232005.tif 000008
【図７】
2009232005.tif 000009
【図８】
2009232005.tif 000010
【図９】
2009232005.tif 000011
【図１０】
2009232005.tif 000012